(57)【要約】【課題】イカを確実に引掛けるヤエンの提供【解決手段】本ヤエン１０は、ガイド本体２０と掛け針軸３０からなり、ヒンジ２３を介して、掛け針軸３０が回転できるようにしている。ガイド本体２０に設けた梃子２４のフック部２６によりガイド本体２０と掛け針軸３０を、一体として固定、解除できるようにしており、本体ゴムフック２８と軸ゴムフック３５の間にはゴム４０を取り付けて、掛け針軸３０に回転する力が作用するようにしている。これにより、浮き止めゴム５１が梃子２４のレバー部２７に当たるとフック部２６が外れて掛け針軸３０が回転して跳ね上がるようにしている。ガイド本体２０には反動防止用の抵抗板２９を設け、掛け針３１〜３３は水中抵抗の少ない形状としている。【選択図】図１
0003211004.tif 000002
【実用新案登録請求の範囲】
【請求項１】
釣り糸が摺動する糸ガイドを設けたガイド本体の先端を中心として、掛け針を取り付けた掛け針軸が回転できるように接続したヤエンであって、ガイド本体に設けた梃子のフック部によりガイド本体と掛け針軸が一体となるように固定することができ、梃子のレバー部に釣り糸の浮き止めゴムが当たると、梃子のフック部が外れる構造とし、梃子のフック部が外れた時には、ゴムの収縮力により掛け針軸が回転して鉛直上方に跳ね上がる機構を備えたイカ釣り用ヤエン。
【請求項２】
ゴムの収縮力の代わりにバネの伸長力を利用する請求項１に記載のイカ釣り用ヤエン。
【請求項３】
掛け針軸が跳ね上がる時の反動を抑えるための抵抗板をガイド本体に設けた請求項１又は２に記載のイカ釣り用ヤエン。
【請求項４】
掛け針軸への掛け針の取り付けを、掛け針の根本部分が鉛直方向に一列となるように積み重ねた形状としたイカ釣り用ヤエン
【考案の詳細な説明】
【技術分野】
【０００１】
本考案は、イカ釣り用のヤエンに関するものである。  
【背景技術】
【０００２】
通常、ヤエンを用いてイカを釣る方法は、（１）釣り糸の先端に生きアジを付けて泳がせ、生きアジがイカに捕捉された後、釣り糸にイカ釣り用ヤエン(以下、「ヤエン」という)を取り付け、ヤエンを釣り糸に沿わせて生きアジまで送り込む。（２）ヤエンが生きアジに到達した時、ヤエンはイカの下方に位置するので、釣竿により釣り糸を緩めるとか釣り糸を引く等の操作を行い、ヤエンの掛け針をイカに触れさせて引掛ける。（３）引掛けたイカは釣竿で手元まで引き寄せて、網等で捕獲する。の手順である。
【０００３】
一般に使われているヤエンは、針金状のステンレス棒の先端に数段の掛け針を設け、後端には釣り糸を摺動する複数の糸ガイドを備えた構造としている。
【０００４】
一部のヤエンでは、掛け針部分のステンレス棒と糸ガイド部分のステンレス棒をヒンジ構造で接続した折れ曲り式構造のヤエンも用いられている。
【０００５】
イカ釣り用ヤエンは、市販品の他、釣り人の手作りも行われている。
【考案の概要】
【考案が解決しようとする課題】
【０００６】
釣り人は、ヤエンが生きアジに達した後に、ヤエンの掛け針をイカに触れさせイカを引掛けるために、釣り糸を緩めるとか釣り糸を引く等の釣竿操作を開始するが、釣竿の曲がり、振動等でヤエンが生きアジに達したタイミングを把握することは熟練を要し、一般の釣り人では難しく、イカに逃げられるとか、イカが掛からないという課題があった。
【０００７】
ヤエンでイカを確実に引掛けるには、ヤエンの掛け針がイカに接近した状態で、イカに逃げられないようにヤエンの掛け針を素早く強くイカに当てる必要があるが、釣り糸を緩めるとか釣り糸を引く等の釣竿操作では、ヤエンの水中抵抗、釣り糸の伸び等により、掛け針を素早く強くイカに当てることが難しく、イカが掛からない、イカが外れるという課題があった。
【０００８】
上記課題を解消するため、ヤエンが生きアジに達したタイミングで掛け針が鉛直上方に動くように工夫した折れ曲り式構造のヤエンも用いられているが、掛け針を素早く強く動かすことが難しいという課題があった。
【０００９】
上記課題を解消するため、バネ等を使用して掛け針が素早く動くように工夫したヤエンも考案されているが、水中抵抗等の影響もあってイカを掛けることが難しいという課題があった。
【００１０】
本考案の目的は、ヤエンがイカに捕捉された生きアジに達すると、イカを確実に引掛けるヤエンを提供することである。
【課題を解決するための手段】
【００１１】
上記目的を解決するために請求項１に記載の考案は、釣り糸が摺動する糸ガイドを設けたガイド本体の先端を中心として、掛け針を取り付けた掛け針軸が回転できるように接続したヤエンであって、ガイド本体に設けた梃子のフック部によりガイド本体と掛け針軸が一体となるように固定することができ、梃子のレバー部に釣り糸の浮き止めゴムが当たると、梃子のフック部が外れる構造とし、梃子のフック部が外れた時には、ゴムの収縮力により掛け針軸が回転して鉛直上方に跳ね上がる機構を備えたヤエンとしている。
【００１２】
請求項２に記載の考案は、請求項１記載のヤエンにおいて、ゴムの収縮力の代わりにバネの伸長力を利用している。
【００１３】
請求項３に記載の考案は、請求項１又は２記載のヤエンにおいて、掛け針軸が回転して跳ね上がる時の反動で、ガイド本体が逆回転することを抑えるための抵抗板を設けている。
【００１４】
請求項４記載の考案は、ヤエンへの掛け針の取り付け形状を、掛け針の根本部分が鉛直方向に一列となるように積み重ねたものとして、掛け針の鉛直方向への投影断面積を減らし水中抵抗を減少させたヤエンとしている。
【考案の効果】
【００１５】
本考案によれば、ヤエンがイカに捕捉された生きアジに達すると、釣竿を操作することなくヤエンの掛け針がゴム等の伸縮力により鉛直上方に跳ね上がり、イカを引掛けることができる。
【図面の簡単な説明】
【００１６】
【図１】本考案の実施例１に係るヤエンの斜視図である。
【図２】図１におけるA矢視の拡大図である。
【図３】図２におけるB-B断面図である。
【図４】本考案の実施例１に係るヤエンの使用状態の概要図である。
【図５】本考案の実施例１に係るヤエンの作動状態の概要図である。
【図６】本考案の実施例２に係るヤエンの斜視図である。
【図７】本考案の実施例２に係るヤエンの作動状態の概要図である。
【考案を実施するための形態】
【００１７】
本考案の実施形態について、図面に基づいて説明する。
【実施例１】
【００１８】
本考案の実施例１について、図１に基づいて説明する。
【００１９】
本ヤエン１０は、釣り糸が摺動する前方糸ガイド２１、後方糸ガイド２２等を設けたガイド本体２０と、掛け針３１〜３３等を取り付けた掛け針軸３０からなり、ガイド本体２０先端のヒンジ２３を介して、掛け針軸３０が回転できるようにしている。また、本ヤエン１０は、前方糸ガイド２１を中心に前傾姿勢となるよう、掛け針軸３０の後端にバランス調整用の錘３６を取り付けている。
【００２０】
ガイド本体２０の前方糸ガイド２１、後方糸ガイド２２は、滑らかに摺動するよう半円状に曲げたステンレス棒の内側で釣り糸５０に接し、釣り糸５０への取り付けが容易にできる形状とするとともに、釣り糸５０に取り付けた浮き止めゴム５１がスムーズに通過できる大きさとしている。
【００２１】
ガイド本体２０の前方部には、回転支点２５を持った梃子２４を設け、梃子２４の先端のフック部２６で掛け針軸３０の受ピン３４を引っ掛けることにより、ガイド本体２０と掛け針軸３０を一体として固定できるようにし、梃子２４のレバー部２７に釣り糸５０に取り付けた浮き止めゴム５１が当たると、梃子２４のフック部２６が掛け針軸３０の受ピン３４から外れて、ガイド本体２０と掛け針軸３０の固定が解除できるようにしている。
【００２２】
梃子２４の設置位置、レバー部２７の形状、フック部２６の形状は、ヤエン１０を釣り糸に沿わせて生きアジ６０まで送り込む時の波、風等の外力により、梃子２４のフック部２６と掛け針軸３０の受ピン３４が容易に外れることのないものとし、レバー部２７は、釣り糸５０が外れることなくスムーズに通過できて、浮き止めゴム５１が通過できないよう、縦長のスリット開口を持つものとしている。
【００２３】
また、ガイド本体２０の先端部に設けた本体ゴムフック２８と、掛け針軸３０の後端に設けた軸ゴムフック３５の間に伸長させたゴム４０を取り付け、掛け針軸３０に回転する力が作用するようにしている。このゴム４０は、輪ゴムを使用し、使用本数を変えることで掛け針軸３０の回転する速度及び力を容易に調整することができるようにしている。
【００２４】
これにより、ヤエン１０の梃子２４のレバー部２７に浮き止めゴム５１が当たると、梃子２４のフック部２６が掛け針軸３０の受ピン３４から外れて掛け針軸３０の固定が解除され、ゴム４０の収縮力により掛け針軸３０が回転して鉛直上方に跳ね上がるようにしている。
【００２５】
掛け針軸３０が回転して跳ね上がる時の反動でガイド本体２０が逆回転することを防ぐために、ガイド本体２０には抵抗板２９を設けている。
【００２６】
掛け針３１〜３３の掛け針軸３０への取り付けは、水中抵抗を減少させるために、図２、図３のように掛け針３１〜３３の各根本部分が鉛直方向に一列となるように積み重ねた形状として、掛け針軸３０がより素早く跳ね上がるようにしている。
【００２７】
掛け針軸３０が回転して跳ね上がる角度は、ゴム４０の収縮力によりゴム４０の長さが最短となる位置まで跳ね上がるので、本体ゴムフック２８を前後に曲げるとか、長くする等の方法により、調整することができるようにしている。
【００２８】
本実施例のヤエン１０を使用したイカの釣り方は、釣り糸５０の先端に生きアジ６０を付け、浮き止めゴム５１を生きアジ６０の尻尾の直近となるように調整してから、生きアジ６０を泳がせる。
【００２９】
生きアジ６０がイカ６１に捕捉された後、図４のようにガイド本体２０と掛け針軸３０を梃子２４により固定したヤエン１０を釣り糸５０に取り付け、ヤエン１０を釣り糸５０に沿わせて生きアジ６０まで送り込む。
【００３０】
送り込まれたヤエン１０の梃子２４のレバー部２７に浮き止めゴム５１が当たると、直ちに梃子２４のフック部２６が掛け針軸３０の受ピン３４から外れて掛け針軸３０の固定が解除され、図５のように、ゴム４０の収縮力により掛け針軸３０が回転して鉛直上方に跳ね上がり、掛け針３１〜３３でイカ６１を引掛けることができるようにしている。
【実施例２】
【００３１】
本考案の実施例２について、図６に基づいて説明する。
【００３２】
本実施例２のヤエン１００が上記の実施例１のヤエン１０と異なる点は、ヤエン１０が掛け針軸３０の回転のためにゴム４０の収縮力を利用することに対して、ヤエン１００が掛け針軸３０の回転のためにバネ１４０の伸長力を利用する点である。その他の構成、機能については、上記ヤエン１０と同様である。
【００３３】
バネ１４０は、図６のように、ガイド本体２０の中間部の本体バネピン１２８と、掛け針軸３０の中間部の軸バネピン１３５の間を、繋ぐように取り付けており、ガイド本体２０と掛け針軸３０が一体となるように梃子２４のフック部２６で掛け針軸３０のピン３４を引っ掛けて固定した時に、掛け針軸３０に回転する力が作用するようバネ１４０を収縮状態としている。
【００３４】
バネ１４０は、収縮時及び伸長時の作動軸のずれがないようテレスコピック構造としている。
【００３５】
これにより、送り込まれたヤエン１００の梃子２４のレバー部２７が浮き止めゴム５１が当たると、直ちに梃子２４のフック部２６が掛け針軸３０の受ピン３４から外れて掛け針軸３０の固定が解除され、図７のように、バネ１４０の伸長力により掛け針軸３０が回転して鉛直上方に跳ね上がり、掛け針３１〜３３でイカ６１を引掛けることができるようにしている。
?
【符号の説明】
【００３６】
１０  実施例１のヤエン
２０  ガイド本体
２１  前方糸ガイド
２２  後方糸ガイド
２３  ヒンジ
２４  梃子
２５  回転支点
２６  フック部
２７  レバー部
２８  本体ゴムフック
２９  抵抗板
３０  掛け針軸
３１  掛け針
３２  掛け針
３３  掛け針
３４  受ピン
３５  軸ゴムフック
３６  錘
４０  ゴム
５０  釣り糸
５１  浮き止めゴム
６０  生きアジ
６１  イカ
１００  実施例２のヤエン
１２８  本体バネピン
１３５  軸バネピン
１４０  バネ
【図１】
0003211004.tif 000003
【図２】
0003211004.tif 000004
【図３】
0003211004.tif 000005
【図４】
0003211004.tif 000006
【図５】
0003211004.tif 000007
【図６】
0003211004.tif 000008
【図７】
0003211004.tif 000009